(57)【要約】      （修正有）【課題】自然界には重力、弱い力、電磁気力、核力と四つの相互作用しない、閉じた空間がある。これらを統一した法則がわかると、重力から核力までの力を自在に取り出すことが出来る。基数１が何でも良いとする、デカルトの座標幾何学からニュートンらの微積分、リーマン幾何学等の算術としての便法である現代数学では四次元を越える解が得られない、と言う限界がある。【解決手段】宇宙１が等しく分裂し、宇宙１と等価な素粒子１が出来たとする数理である整数論の立場をとる。この爆発の原理の発見から１８年が整数論の研究に費やされ、整数論の壁、古代ギリシャ時代よりの幾何学上の三大不能問題、倍積、円積、角度の三等分問題を２００２年１２月に解いた。この統一法則理論の検証装置として三次元多連多段多重モータが開発され、その成功は統一法則理論の完成を実証することとなる。【選択図】図１
2007282465.tif 000002
【特許請求の範囲】
【請求項１】
四つの、それぞれが閉じた系である、重力、弱い力、電磁気力、核力のゲージ場のひとつ重力場内でのエネルギー不変則を、不変則を超える重力から核力にいたる連続した穏やかな自然のエネルギー発生方法として、電磁気力である三次元方向と回転する時間を入れた四次元を合わせ持つモータを三次元方向と回転方向を多連多段多重に用いて、閉じた系を超えるエネルギーを発生させる方法及び其の装置であるベアリング及びベアリングがモータである三次元多連多段多重モータ
【請求項２】
ベアリングは固定子と回転子から構成されその隙間に玉を挿入し回転摩擦を減じるものとし、モータは固定子と回転子から構成されその隙間は電磁気力の力の相互作用の場である。固定子の数を連とし、固定子をはずして回転させ出力軸回転子とする、モータをワープモータとし、固定子と出力軸回転子と回転子からなるのを三重モータとする。電機子と磁石による電磁気力相互作用を一単位として、出力軸回転子を含む複数のモータを呼ぶとき段と呼ぶ。複数のモータが一次元方向に並ぶとき、一次元二連多段モータと呼ぶ。二次元方向に並ぶときは二次元二連多段モータと呼ぶ。一次元方向と二次元方向が複合する時は、三次元二連多段モータとする。これらを三次元単位として、複数の単位が八像限にプラスマイナス対面する時は三次元多連多段多重モータと呼ぶ。これらのモータ及びモータがベアリングである三次元多連多段多重ベアリング。
【発明の詳細な説明】
【発明の詳細な説明】
【技術分野】
【０００１】モータ及びベアリング
【背景技術】
【０００２】従来のモータ及びベアリングの技術は一次元方向に多連のもの、二次元方向に多段なものがあるが、固定子と回転子からなるモータの固定子を外し、出力軸回転子とする異次元ワープモータについては未知の分野である。
【発明が解決しようとする課題】
【０００３】自然界には質量１に対して核力＝（質量×光の速度）×速度の二乗のエネルギーを内包しているといわれている。平たく言えば、原爆は４Ｋｇの質量で出来ます。体重６０Ｋｇの人は、１５発の原爆のエネルギーを持っているともいえます。これと共に、相互作用をしない閉じた系内でのエネルギー不変則に拘束されるともいわれています。これを超えるための原子爆発と言う爆縮による、激しいエネルギーの発散ではなく、穏やかなエネルギー発散である、重力と弱い力の相互作用により、超えようとするのが大きな課題である。そのためそれぞれ等価である電流と磁束と気磁力の三次元方向を同時に表す電磁気力を多連多段多重に用いて空中に回転する異次元空間のエネルギーを瞬間移動させるワープモータと及びそれようの三次元多連多段多重高速ベアリングを提供するのが課題である。
【課題を解決する為の手段】
【０００４】閉じた系内のことであるエネルギー不変則が或る。不変則を超える核力に至る穏やかなエネルギーを発生させると言う課題を解決する方法として、縦、横、高さの三次元方向と時間であるプラスとマイナス回転方向を併せ持つ四次元電磁気力により可動するモータを、三次元多連多段多重に用いて、空中で回転する回転子と出力軸回転子の異次元空間のエネルギーを固定子側の重力場に回帰させる。たとえば時速５０ｋｍで走る電車の上で時速５０ｋｍの速度のキャッチボールをしているとする。電車と平行する道路上でも同じく時速５０ｋｍでキャッチボールをしているとする。電車の進行方向に投げたボールが、道路上のキャチャーに届くと、時速１００ｋｍになり、エネルギーは速度の二乗ですから四倍となる。これが光に近い等速速度で銅線の中を移動している電子と固定子の間の相互作用とすると、核力に次ぐ膨大なエネルギーを取り出すことが可能だ。モータのエネルギー計算は回転数とトルクの積の二次関数である。一方電力あるいは発電は電流×電流×抵抗の三次関数である。このずれを用いてこの膨大なエネルギーを持つ電磁気力を三次元多連多段多重のワープモータを用いて重力場に回帰させるのである。そしてこの高速回転を実現するためのベアリングは三次元多連多段多重ベアリングを用いて具現するのである。
【発明を実施するための最良の形態】
【０００５】ベアリングの発明の実施の形態はモータを用いて説明する。固定子と回転子の間の玉を無視すればモータである。一次元方向多段ベアリングは一段目駆動モータと最終段目回帰モータは固定子を具備し中間モータは固定子を固定から外し出力軸回転子とする。回転子と固定子あるいは出力軸回転子との間に玉を具備すれば一次元二連多段ベアリングとなる。二次元円盤上にベアリングを重ねていけば二次元二連多段ベアリングとなる。二次元二連多段を各段一次元方向二連多段とすれば三次元多連多段ベアリングとなる。この二次元多連多段ベアリングを回転軸中心を同じくして向かい合わせに具備すると三次元多連多段二重ベアリングとなる。この回転軸を正立方体の八本の対角線とする互いに向き合った八個の三次元多連多段ベアリングは二十四次元多連多段八重ベアリングとなる。
【実施例】
【０００６】本発明の実施例は図を用いて説明する。図１は一次元多段ベアリングの最小単位駆動モータ、ワープモータ、回帰モータである二連多段モータを表し、玉を回転差速隙間に具備すれば二連多段ベアリングとなる。図２は二次元方向多段ベアリングを表す。図３は二次元二連多段ベアリングを向かい合わせ、二重とし、間に潤滑オイルを入れられるようにした二次元二連多段二重ベアリングである。図４は一次元多段ベアリングを軸方向スラストベアリングとし、二次元二連多段二重ベアリングを組み合わせた図である。図５は二次二連元多段二重ベアリングを一次元方向に多段にしたものである。図６は正立方体の対角線を回転中心として二次元四段ベアリングを一次元回転中心方向に各段が正立方体の互いに接する三面に各段の外形が接する状態で多段とする三次元多連多段ベアリングを一単位ブロックとする。回転中心は同じくし、二個の単位ブロックを向かい合わせにし、二重とし、正立方体の八本の対角線をそれぞれの回転中心とし、八ブロックを互いに向かい合わせに、互いに外形が接するように構築した八重モータである。これは二十四次元多連多段八重モータである。モータの回転隙間に玉を装着すれば、二十四次元多連多段八重ベアリングとなる。
【発明の効果】
【０００７】本発明の効果の第一は一次元方向多段ベアリングとすることで、段数倍の高速回転ベアリングを容易に得ることが可能となった。発電機とするとトルクが段数倍少ない、小トルクの発電機を具現化した。風力発電に使用すれば、風車の大きさや強度を段数倍減らし、低コスト高効率を具現する。なおかつ風速の低速から高速まで広い範囲で発電が出来る。第二には昔からある二次元方向多段とすることで薄形の高速回転ベアリングを具現するが、回転子と出力軸回転子を差速有りながら、互いに同方向に回転する遊星歯車に接続することにより、差速１で歯車比だけのモータ回転数を得ることが容易となった。その遊星ワープモータの内側、あるいは外側、あるいはその両方に発電機を構築すると回転数は二分されるがトルクは同じで駆動力を取り出し、かつ発電も可能である。遊星ワープ駆動発電機が用意に具現する。第三に，二次元多段ベアリングを二重とすることにより、二重の間に潤滑油を容易に潤滑させることが可能となった。第四に一次元方向多段と二次元方向多段を複合させることで三次元方向の高速ベアリング効果を得ることが可能となった。第五に三次元多連多段多重ベアリングとすることにより高速回転ベアリングを構築し、かつ潤滑油の供給も二重構造の中に供給可能となった。第六に八像限に三次元多連多段八重ベアリングを構築することにより、外側に固定子を具備することなく三次元多連多段多重ベアリングを構築することが容易となった。
【図面の簡単な説明】図１は一次元方向多段ベアリングをスラスト方向に具備した断面図である。図２は二次元方向多連多段ベアリングの立体断面図である。図３は二次元方向多連多段ベアリングを二重とし、その間に潤滑油を潤滑させる空間を構築した断面図である。図４は三次元方向多段ベアリングの断面図である。図６は八像限に三次元多連多段多重ベアリングを構築した、ベアリングの外周接触面を円で表した二十四次元の正面図である。
【図１】
2007282465.tif 000003
【図２】
2007282465.tif 000004
【図３】
2007282465.tif 000005
【図４】
2007282465.tif 000006
【図５】
2007282465.tif 000007
【図６】
2007282465.tif 000008
【手続補正書】
【提出日】平成18年8月1日(2006.8.1)
【手続補正１】
【補正対象書類名】明細書
【補正対象項目名】全文
【補正方法】変更
【補正の内容】
【発明の詳細な説明】
【技術分野】
【０００１】モータ及びベアリング
【背景技術】
【０００２】従来のモータ及びベアリングの技術は一次元方向に多連のもの、二次元方向に多段なものがあるが、固定子と回転子からなるモータの固定子を外し、出力軸回転子とする異次元ワープモータについては未知の分野である。
【発明が解決しようとする課題】
【０００３】自然界には質量１に対して核力＝（質量×光の速度）×速度の二乗のエネルギーを内包しているといわれている。平たく言えば、原爆は４Ｋｇの質量で出来ます。体重６０Ｋｇの人は、１５発の原爆のエネルギーを持っているともいえます。これと共に、相互作用をしない閉じた系内でのエネルギー不変則に拘束されるともいわれています。これを超えるための原子爆発と言う爆縮による、激しいエネルギーの発散ではなく、穏やかなエネルギー発散である、重力と弱い力の相互作用により、超えようとするのが大きな課題である。そのためそれぞれ等価である電流と磁束と気磁力の三次元方向を同時に表す電磁気力を多連多段多重に用いて空中に回転する異次元空間のエネルギーを瞬間移動させるワープモータと及びそれようの三次元多連多段多重高速ベアリングを提供するのが課題である。
【課題を解決する為の手段】
【０００４】閉じた系内のことであるエネルギー不変則が或る。不変則を超える核力に至る穏やかなエネルギーを発生させると言う課題を解決する方法として、縦、横、高さの三次元方向と時間であるプラスとマイナス回転方向を併せ持つ四次元電磁気力と出力軸回転子の異次元空間のエネルギーを固定子側の重力場に回帰させる。たとえば時速５０ｋｍで走る電車の上で時速５０ｋｍの速度のキャッチボールをしているとする。電車と平行する道路上でも同じく時速５０ｋｍでキャッチボールをしているとする。電車の進行方向に投げたボールが、道路上のキャチャーに届くと、時速１００ｋｍになり、エネルギーは速度の二乗ですから四倍となる。これが光に近い等速速度で銅線の中を移動している電子と固定子の間の相互作用とすると、核力に次ぐ膨大なエネルギーを取り出すことが可能だ。モータのエネルギー計算は回転数とトルクの積の二次関数である。一方電力あるいは発電は電流×電流×抵抗の三次関数である。このずれを用いてこの膨大なエネルギーを持つ電磁気力を三次元多連多段多重のワープモータを用いて重力場に回帰させるのである。そしてこの高速回転を実現するためのベアリングは三次元多連多段多重ベアリングを用いて具現するのである。
【発明を実施するための最良の形態】
【０００５】ベアリングの発明の実施の形態はモータを用いて説明する。固定子と回転子の間の玉を無視すればモータである。一次元方向多段ベアリングは一段目駆動モータと最終段目回帰モータは固定子を具備し中間モータは固定子を固定から外し出力軸回転子とする。回転子と固定子あるいは出力軸回転子との間に玉を具備すれば一次元二連多段ベアリングとなる。二次元円盤上にベアリングを重ねていけば二次元二連多段ベアリングとなる。二次元二連多段を各段一次元方向二連多段とすれば三次元多連多段ベアリングとなる。この三次元多連多段ベアリングを回転軸中心を同じくして向かい合わせに具備すると三次元多連多段二重ベアリングとなる。この回転軸を正立方体の八本の対角線とする互いに向き合った八個の三次元多連多段ベアリングは二十四次元多連多段八重ベアリングとなる。
【実施例】
【０００６】  本発明の実施例は図を用いて説明する。図１は一次元多段ベアリングの最小単位差速隙間に具備すれば二連多段ベアリングとなる。図２は二次元方向多段ベアリングを表す。図３は二次元二連多段ベアリングを向かい合わせ、二重とし、間に潤滑オイルを入れられるようにした二次元二連多段二重ベアリングである。図４は一次元多段ベアリングを軸方向スラストベアリングとし、二次元二連多段二重ベアリングを組み合わせた図である。図５は二次二連元多段二重ベアリングを一次元方向に多段にしたものである。図６は正立方体の対角線を回転中心として二次元四段ベアリングを一次元回転中心方向に各段が正立方体の互いに接する三面に各段の外形が接する状態で多段とする三次元多連多段ベアリングを一単位ブロックとする。回転中心は同じくし、二個の単位ブロックを向かい合わせにし、二重とし、正立方体の八本の対角線をそれぞれの回転中心とし、八ブロックを互いに向かい合わせに、互いに外形が接するように構築した八重モータである。これは二十四次元多連多段八重モータである。モータの回転隙間に玉を装着すれば、二十四次元多連多段八重ベアリングとなる。
【発明の効果】
【０００７】本発明の効果の第一は一次元方向多段ベアリングとすることで、段数倍の高速回転ベアリングを容易に得ることが可能となった。発電機とするとトルクが段数倍少ない、小トルクの発電機を具現化した。風力発電に使用すれば、風車の大きさや強度を段数倍減らし、低コスト高効率を具現する。なおかつ風速の低速から高速まで広い範囲で発電が出来る。第二には昔からある二次元方向多段とすることで薄形の高速回転ベアリングを具現するが、回転子と出力軸回転子を差速有りながら、互いに同方向に回転する遊星歯車に接続することにより、差速１で歯車比だけのモータ回転数を得ることが容易となった。その遊星ワープモータの内側、あるいは外側、あるいはその両方に発電機を構築すると回転数は二分されるがトルクは同じで駆動力を取り出し、かつ発電も可能である。遊星ワープ駆動発電機が用意に具現する。第三に，二次元多段ベアリングを二重とすることにより、二重の間に潤滑油を容易に潤滑させることが可能となった。第四に一次元方向多段と二次元方向多段を複合させることで三次元方向の高速ベアリング効果を得ることが可能となった。第五に三次元多連多段多重ベアリングとすることにより高速回転ベアリングを構築し、かつ潤滑油の供給も二重構造の中に供給可能となった。第六に八像限に三次元多連多段八重ベアリングを構築することにより、外側に固定子を具備することなく三次元多連多段多重ベアリングを構築することが容易となった。
【図面の簡単な説明】
【０００８】
【図１】は一次元方向多段ベアリングをスラスト方向に具備した断面図である。
【図２】は二次元方向多連多段ベアリングの立体断面図である。
【図３】は二次元方向多連多段ベアリングを二重とし、その間に潤滑油を潤滑させる空間を構築した断面図である。
【図４】は三次元方向多段ベアリングの断面図である。
【図５】は一次元方向多段と二次元方向多段ベアリングの断面図である。
【図６】は八像限に三次元多連多段多重ベアリングを構築した、ベアリングの外周接触面を円で表した二十四次元の正面図である。